(57)【要約】【課題】  パーマネントウェーブの形成を迅速容易に行うことができるパーマネントウェーブ用補助具を提供する。【解決手段】  毛束３０をシート３２と共にロッド３４に巻き付ける際に使用するパーマネントウェーブ用補助具１であって、ロッド３４の外面に沿って曲げ変形可能な帯状の補助具本体１０と、補助具本体１０の先端に鉤状に形成された押圧片２０とを備え、押圧片２０は、補助具本体１０の内面側に曲げられた形状を有しており、曲げ変形させた補助具本体１０により毛束３０およびシート３２を介してロッド３４を挟持した状態で、ロッド３４を回転させることにより、毛束３０およびシート３２が押圧片２０により押圧されてロッド３４に巻き付けられるように構成されている。【選択図】  図６
2014124236.tif 000002
【特許請求の範囲】
【請求項１】
毛束をシートと共にロッドに巻き付ける際に使用するパーマネントウェーブ用補助具であって、
ロッドの外面に沿って曲げ変形可能な帯状の補助具本体と、前記補助具本体の先端に鉤状に形成された押圧片とを備え、前記押圧片は、前記補助具本体の内面側に曲げられた形状を有しており、
曲げ変形させた前記補助具本体により毛束およびシートを介してロッドを挟持した状態で、前記ロッドを回転させることにより、前記毛束およびシートが前記押圧片により押圧されて前記ロッドに巻き付けられるように構成されたパーマネントウェーブ用補助具。
【請求項２】
前記押圧片は、切欠状の毛束保持部が先端中央に形成されている請求項１に記載のパーマネントウェーブ用補助具。
【請求項３】
前記補助具本体は、基端側から先端側に向けて間隔をあけて配置された複数の折り目部を備えており、前記各折り目部において少なくとも内面側に曲げ変形可能に構成されている請求項１または２に記載のパーマネントウェーブ用補助具。
【請求項４】
先端部の外面側に設けられた巻き込み防止用突部を更に備える請求項１から３のいずれかに記載のパーマネントウェーブ用補助具。
【請求項５】
外面側に折り返された前記補助具本体の基端部を保持する基端側保持部を更に備える請求項１から４のいずれかに記載のパーマネントウェーブ用補助具。
【請求項６】
前記補助具本体は、施術者の指と係合する指掛部を外面側に備える請求項１から５のいずれかに記載のパーマネントウェーブ用補助具。
【請求項７】
前記指掛部は、筒状に形成されている請求項６に記載のパーマネントウェーブ用補助具。
【請求項８】
前記補助具本体は、曲率が異なる複数種類の円弧部を組み合わせて構成される請求項１から７のいずれかに記載のパーマネントウェーブ用補助具。
【発明の詳細な説明】
【技術分野】
【０００１】
本発明は、パーマネントウェーブの形成に用いられるパーマネントウェーブ用補助具に関する。
【背景技術】
【０００２】
従来のパーマネントウェーブの形成器具として、例えば、特許文献１に開示された構成が知られている。図１１に斜視図で示すように、この器具５０は、毛髪を挟持する吸水性のシート５２と、このシート５２を巻き付けるロッド５４とを備えており、シート５２の一端側をロッド５４に固着すると共に、巻回したシート５２の巻戻りを防止する止め具５６をロッド５４と一体に設けることで、作業性の向上が図られている。
【先行技術文献】
【特許文献】
【０００３】
【特許文献１】特開平１０−２５７９１６号公報
【発明の概要】
【発明が解決しようとする課題】
【０００４】
ところが、上記従来のパーマネントウェーブ形成器具５０は、毛髪を挟持したシート５２をロッド５４に巻き付ける際に、毛先を真っ直ぐに維持したまま巻き付け作業をスムーズに行うことが困難であると共に、巻き付け開始後は特に短い毛髪がロッド５４から落ち易いために、依然として作業の熟練が必要とされていた。
【０００５】
そこで、本発明は、パーマネントウェーブの形成を迅速容易に行うことができるパーマネントウェーブ用補助具の提供を目的とする。
【課題を解決するための手段】
【０００６】
本発明の前記目的は、毛束をシートと共にロッドに巻き付ける際に使用するパーマネントウェーブ用補助具であって、ロッドの外面に沿って曲げ変形可能な帯状の補助具本体と、前記補助具本体の先端に鉤状に形成された押圧片とを備え、前記押圧片は、前記補助具本体の内面側に曲げられた形状を有しており、曲げ変形させた前記補助具本体により毛束およびシートを介してロッドを挟持した状態で、前記ロッドを回転させることにより、前記毛束およびシートが前記押圧片により押圧されて前記ロッドに巻き付けられるように構成されたパーマネントウェーブ用補助具により達成される。
【０００７】
このパーマネントウェーブ用補助具において、前記押圧片は、切欠状の毛束保持部が先端中央に形成されていることが好ましい。前記補助具本体は、基端側から先端側に向けて間隔をあけて配置された複数の折り目部を備えていることが好ましく、前記各折り目部において少なくとも内面側に曲げ変形可能に構成されていることが好ましい。また、先端部の外面側に設けられた巻き込み防止用突部を更に備えることが好ましい。また、外面側に折り返された前記補助具本体の基端部を保持する基端側保持部を更に備えることが好ましい。また、前記補助具本体は、施術者の指と係合する指掛部を外面側に備えることが好ましい。この指掛部は、筒状に形成することが可能である。また、前記補助具本体は、曲率が異なる複数種類の円弧部を組み合わせて構成することができる。
【発明の効果】
【０００８】
本発明によれば、パーマネントウェーブの形成を迅速容易に行うことができるパーマネントウェーブ用補助具を提供することができる。
【図面の簡単な説明】
【０００９】
【図１】本発明の一実施形態に係るパーマネントウェーブ用補助具の側面図である。
【図２】前記パーマネントウェーブ用補助具の平面図である。
【図３】前記パーマネントウェーブ用補助具を矢示Ａ方向から見た要部正面図である。
【図４】前記パーマネントウェーブ用補助具の持ち方の一例を説明するための図である。
【図５】前記パーマネントウェーブ用補助具の使用方法を説明するための図である。
【図６】前記パーマネントウェーブ用補助具の使用状態の一例を示す側面図である。
【図７】前記パーマネントウェーブ用補助具の使用状態の他の例を示す側面図である。
【図８】本発明の他の実施形態に係るパーマネントウェーブ用補助具の側面図である。
【図９】本発明の更に他の実施形態に係るパーマネントウェーブ用補助具の側面図である。
【図１０】図９に示すパーマネントウェーブ用補助具の巻き付け状態の一例を示す側面図である。
【図１１】従来のパーマネントウェーブ形成器具を示す斜視図である。
【発明を実施するための形態】
【００１０】
以下、本発明の実施の形態について、添付図面を参照して説明する。図１および図２は、それぞれ本発明の一実施形態に係るパーマネントウェーブ用補助具の側面図および平面図である。図１および図２に示すように、パーマネントウェーブ用補助具１は、帯状の補助具本体１０と、補助具本体１０の長手方向先端に鉤状に形成された押圧片２０とを備えている。
【００１１】
補助具本体１０は、樹脂や厚紙、金属薄板等から形成することができ、内面１１が平滑とされている。補助具本体１０は、基端部１９の側から先端側に向けて間隔をあけて互いに平行に配置された複数の折り目部１２を備えており、各折り目部１２において少なくとも内面１１側に折り曲げ可能とされている。折り目部１２は、例えばハーフカットやミシン目など公知の手法で形成することができる。補助具本体１０は、長手方向の中央部が幅狭となるように、幅方向両側に湾曲部１３，１３が形成されている。
【００１２】
押圧片２０は、補助具本体１０の内面１１側に円弧状に曲げられた形状を有しており、図３に要部正面図で示すように、幅方向両側に設けれられた一対の突部２１，２１の間に毛束保持部２２が切り欠き状に形成されている。押圧片２０の形状は、必ずしも円弧状である必要はなく、角部が生じるように曲げられた形状であってもよい。
【００１３】
上記の構成を備えるパーマネントウェーブ用補助具１の外面側には、先端部の押圧片２０の近傍に巻き込み防止用突部１４が設けられており、更に、この巻き込み防止用突部１４から基端側に向けて、４つの指掛部１６ａ，１６ｂ，１６ｃ，１６ｄが互いに間隔をあけて設けられている。巻き込み防止用突部１４および指掛部１６ａ〜１６ｄは、いずれも山形等の突状に形成されており、補助具本体１０または押圧片２０の外面に一体成形されている。巻き込み防止用突部１４および指掛部１６ａ〜１６ｄの高さは、例えば５ｍｍ程度である。また、上記４つのうちの１つの指掛部１６ｃは、補助具本体１０から起立するように形成されており、この指掛部１６ｃの起立端部が基端側保持部１８とされている。基端側保持部１８は、外面側に折り返された補助具本体１０の基端部１９と係合して保持することができる。
【００１４】
次に、上記の構成を備えるパーマネントウェーブ用補助具１の使用方法を説明する。パーマネントウェーブ用補助具１は、図４に示すように、先端側の押圧片２０が上方となる状態で、片方の手の親指を巻き込み防止用突部１４の表面にあてがうと共に、他の４つの指で各指掛部１６ａ〜１６ｄをそれぞれ支持することにより、親指の操作で円筒状に丸めることができる。
【００１５】
毛束にパーマネントウェーブを形成する際には、本実施形態のパーマネントウェーブ用補助具１の他に、従来から使用する吸液性のシートおよび筒状のロッドを用意する。ロッドは、外面に凹凸を形成したもの等、毛束やシートとの間に摩擦力が生じ易い構成であることが好ましい。毛束をシートと共にロッドに巻き付ける際には、パーマをかけようとする毛束を取り出して櫛でとかした後、図５（ａ）に示すように、パーマネントウェーブ用補助具１を、押圧片２０が上方となる向きで片方の手に持ち、毛束３０とパーマネントウェーブ用補助具１との間にシート３２を挟む。そして、もう片方の手でロッド３４を持ち、毛束３０の根元から毛先に向けて矢示方向に滑らせていくことで、ロッド３４を押圧片２０の近傍まで移動させる。
【００１６】
次に、図５（ｂ）に示すように、パーマネントウェーブ用補助具１を持つ親指の操作により、パーマネントウェーブ用補助具１の先端部を筒状に丸めるように押圧し、パーマネントウェーブ用補助具１に毛束３０およびシート３２を介してロッド３４を挟持する。そして、この状態でロッド３４を矢示方向に回転させる。パーマネントウェーブ用補助具１を構成する補助具本体１０は内面１１が平滑に形成されているため、ロッド３４の回転により、パーマネントウェーブ用補助具１は形状を変えることなく、毛束３０およびシート３２がロッド３４表面との摩擦によって移動する。ロッド３４と毛束３０およびシート３２との間に生じる摩擦力を高めるため、湾曲部１３，１３を介して露出するシート３２を直接押圧するようにしてもよい。
【００１７】
図６に側面図で示すように、パーマネントウェーブ用補助具１の先端に形成された押圧片２０は、ロッド３４の回転と共に移動するシート３２の表面に当接しており、補助具本体１０の挟持によりシート３２をロッド３４の表面に向けて押圧することで、シート３２の先端部が鋭角に折り返されて、折り返し部３２１が形成される。そして、この折り返し部３２１がロッド３４の回転と共に移動して、ロッド３４と毛束３０との間に嵌り込むことにより、毛束３０およびシート３２が先端側からロッド３４に巻き込まれる。押圧片２０は、先端中央に毛束保持部２２（図３参照）が形成されているため、毛束３０を巻き込む際に、一部が押圧片２０の幅方向両側に滑り落ちるのを抑制することができ、毛束３０をシート３２と共に確実に巻き込んでいくことができる。また、毛束３０は、ロッド３４の外周と略同じ長さでパーマネントウェーブ用補助具１に挟持されているため、毛束３０を構成する毛髪に長さが短いものが含まれていても確実に挟持することができ、毛束３０の全体を巻き込むことができる。
【００１８】
補助具本体１０を平面状に延ばした状態における内面１１と、押圧片２０の先端部の接線とがなす角度（図１の角度θ）は、ロッド３４に巻き付ける毛束３０およびシート３２の押し込みが可能であれば必ずしも限定されるものではないが、確実な押し込みを可能にするため、３０〜４５°が好ましい。
【００１９】
本実施形態においては、補助具本体１０に複数の折り目部１２が形成されており、パーマネントウェーブ用補助具１を折り目部１２で内面側に折り曲げて、多角形状にすることができる。このような構成は、押圧片２０の押し込み角度を所望の角度に維持し易い点で、特に有利である。折り目部１２の数は特に限定されないが、使用するロッドの太さの種類を考慮して、太さが変化してもパーマネントウェーブ用補助具１でロッド３４を確実に挟持できるように、適宜の数に設定することが好ましい。折り目部１２は必須のものではなく、補助具本体１０が可撓性を有する場合には、補助具本体１０をロッド３４の外面に沿って湾曲させて使用することもできる。
【００２０】
上記のように、パーマネントウェーブ用補助具１の内面１１は平滑面であるため、パーマネントウェーブ用補助具１とシート３０との間では滑りが生じ、パーマネントウェーブ用補助具１自体が巻き込まれるおそれは少ないが、本実施形態のように巻き込み防止用突部１４を備える構成においては、仮にパーマネントウェーブ用補助具１が巻き込まれそうになった場合でも、巻き込み防止用突部１４が干渉してパーマネントウェーブ用補助具１の巻き込みを確実に防止することができる。
【００２１】
こうして、ロッド３４を数回（例えば２回）程度回転させて、巻き付け状態を安定させた後、図５（ｃ）に示すように、パーマネントウェーブ用補助具１を矢示のように幅方向にスライドさせ、取り外す。そして、ロッド３４に対して毛束３０をシート３２と共に更に根元まで巻き付けた後、従来と同様に、ロッド３４に巻き付けた毛束３０およびシート３２を輪ゴムなどの留め具で固定する。
【００２２】
本実施形態のパーマネントウェーブ用補助具１によれば、毛束３０およびシート３２をロッド３４に巻き付ける際に、押圧片２０の押圧により、毛先を真っ直ぐに維持した状態で巻き付け開始をスムーズに行うことができると共に、その後もパーマネントウェーブ用補助具１で挟持した状態を維持することにより、毛束３０およびシート３２を確実に保持しながらロッド３４に安定して巻き付けていくことができる。したがって、パーマネントウェーブの形成を迅速容易に行うことが可能になる。
【００２３】
図７に示すように、ロッド２４の径が小さい場合には、基端部１９を余らせるようにしてパーマネントウェーブ用補助具１でロッド２４を挟持することにより、上記と同様にして毛束３０およびシート３２をロッド３４に巻き付けることができる。本実施形態においては、指掛部１６ｃが基端側保持部１８を備えることにより、基端部１９を補助具本体１０の外面側に折り返して基端側保持部１８に係合保持させることができるので、余分な基端部１９が頭皮等と干渉するおそれがなく、作業性を向上させることができる。基端側保持部１８は、本実施形態では指掛部１６ｃの一部を利用して形成しているが、指掛部１６ｃとは別体として形成することもできる。
【００２４】
また、指掛部１６ａ〜１６ｄの形状や個数は特に限定されるものではなく、施術者の指と係合して支持し易いものであればよい。例えば、図８に示すように、指掛部１６ｅ，１６ｆを筒状に形成して、各指掛部１６ｅ，１６ｆに指を挿入できるように構成してもよい。なお、図８において、図１と同様の構成部分には同一の符号を付している（後述する図９についても同様）。
【００２５】
また、補助具本体１０の形状は、本実施形態のように平坦状以外であってもよく、例えば、複数の円弧部により波状に形成することができる。この場合の円弧部は、曲率が異なる複数種類を組み合わせることが好ましい。一例として、図９に示すように、曲率が大きい２つの円弧部１０１ａ，１０１ｂと、曲率が小さい３つの円弧部１０２ａ，１０２ｂ，１０２ｃとを組み合わせて補助具本体１０を構成することができる。曲率が異なる各円弧部は、曲率が大きい円弧部１０１ａ，１０１ｂを先端側に配置し、曲率が小さい円弧部１０２ａ，１０２ｂ，１０２ｃを基端側に配置することが好ましい。図９に示す構成においては、曲率が大きい円弧部１０１ａの先端に押圧片２０が形成され、曲率が小さい円弧部１０２ｃが基端部１９とされており、基端部１９に係合部１９１および補強部１９２が設けられている。
【００２６】
各円弧部１０１ａ，１０１ｂ，１０２ａ，１０２ｂ，１０２ｃの間には、折り目部１２を形成することが好ましい。各折り目部１２は、図９に破線で示すように、同一平面上にあることが好ましい。また、この平面と押圧片２０の先端部の接線とがなす角度（図９の角度θ）は、３０〜４５°が好ましい。
【００２７】
図９に示すパーマネントウェーブ用補助具１は、図１０（ａ）に示すように、小径のロッド３４に対しては、指掛部１６ｃの起立端部を鉤状に折り曲げて形成された基端側保持部１８に、基端部１９の係合部１９１を係合させた後、主として曲率が大きい円弧部１０１ａ，１０１ｂを利用してロッド３４を被覆し、これら円弧部１０１ａ，１０１ｂの間に生じる隙間を曲率が小さい円弧部１０２ａで覆うことで、ロッド３４の外周全体を補助具本体１０により覆うことができる。一方、図１０（ｂ）に示すように、大径のロッド３４に対しては、主として曲率が小さい円弧部１０２ａ，１０２ｂ，１０２ｃを利用してロッド３４を被覆し（円弧部１０２ｂは、弾性変形により逆向きの円弧状に反らせる）、円弧部１０２ａ，１０２ｃの間に生じる隙間を曲率が大きい円弧部１０１ａ、１０１ｂで覆うことで、やはりロッド３４の外周全体を補助具本体１０により覆うことができる。このように、径が異なる２種類のロッド３４のいずれに対しても、ロッド３４の外面に沿ったパーマネントウェーブ用補助具１の曲げ変形を容易に行うことができ、作業を容易且つ確実に行うことができる。なお、図９に示す構成においては、曲率が異なる円弧部の種類を２種類としているが、３種類以上にすることもできる。また、曲率が小さい円弧部１０２ａ，１０２ｂ，１０２ｃには、適宜の間隔で折り目部１２を設けてもよく、曲率が大きい円弧部と曲率が小さい円弧部との間だけでなく、曲率が小さい円弧部１０２ａ，１０２ｂ，１０２ｃ内でも容易に曲げ変形可能に構成することで、種々の径を有するロッドに容易に対応させることができる。
【符号の説明】
【００２８】
１  パーマネントウェーブ用補助具
１０  補助具本体
１１  補助具本体の内面
１２  折り目部
１４  巻き込み防止用突部
１６ａ〜１６ｆ  指掛部
１８  基端側保持部
１９  基端部
２０  押圧片
２２  毛束保持部
３０  毛束
３２  シート
３４  ロッド
【図１】
2014124236.tif 000003
【図２】
2014124236.tif 000004
【図３】
2014124236.tif 000005
【図６】
2014124236.tif 000006
【図７】
2014124236.tif 000007
【図８】
2014124236.tif 000008
【図９】
2014124236.tif 000009
【図１０】
2014124236.tif 000010
【図１１】
2014124236.tif 000011
【図４】
2014124236.tif 000012
【図５】
2014124236.tif 000013